(57)【要約】【課題】内視鏡の一部が液体から突き出て洗浄及び消毒が不完全になるのを防止する。また、トップカバーの内面に付着した水滴による内視鏡の汚染を防止する。【解決手段】トップカバー３７が閉じられると、トップカバー３７の内面部６２が洗浄槽３１の開口３１ａ全体に対面、または嵌合する。消毒液タンク８７から洗浄槽３１に供給された消毒液８５は、第２流量センサ８９によって流量が計測される。第２流量センサ８９の計測結果に基づいて、洗浄槽３１に供給された消毒液８５の供給量が算出される。洗浄槽３１内の消毒液８５の液面位置が、内面部６２に接触する位置に達したときに消毒液８５の供給が停止される。【選択図】図５
2009189414.tif 000002
【特許請求の範囲】
【請求項１】
内視鏡を収容する洗浄槽と、前記洗浄槽の上部の開口を開閉する蓋と、前記洗浄槽内に消毒液を供給する給液手段とを有し、前記洗浄槽に貯えられた前記消毒液中に前記内視鏡を浸漬させて前記内視鏡を消毒する内視鏡洗浄消毒装置において、
前記蓋が閉じられたときに前記洗浄槽の開口全体に対面、または嵌合する前記蓋の内面部と、
前記給液手段によって前記洗浄槽内に供給される前記消毒液の供給量を検知する検知手段と、
前記検知手段の検知結果に基づいて前記給液手段を制御し、前記消毒液を前記内面部に接触させる制御手段とを備えたことを特徴とする内視鏡洗浄消毒装置。
【請求項２】
前記検知手段は、前記消毒液の流量を計測することを特徴とする請求項１記載の内視鏡洗浄消毒装置。
【請求項３】
予め設定された所定量以上の前記消毒液を前記洗浄槽から排出するオーバーフロー手段を設け、前記検知手段は、前記オーバーフロー手段に流れた前記消毒液を検知することを特徴とする請求項１記載の内視鏡洗浄消毒装置。
【発明の詳細な説明】
【技術分野】
【０００１】
本発明は、内視鏡を収容する洗浄槽と、洗浄槽の上部の開口を開閉する蓋とを備えた内視鏡洗浄消毒装置に関する。
【背景技術】
【０００２】
生体の体腔内の検査や治療に使用される医療機器として、内視鏡が知られている。内視鏡は、体腔内に挿入される挿入部を備えている。挿入部は、断面が円形で可撓性を有する棒状体である。挿入部の先端には、体腔内を撮影する撮影部が設けられている。挿入部内には、挿入部の先端から露呈される複数のチャンネルが設けられている。例えば、鉗子チャンネルには、患部の治療に用いられる鉗子や注射針等の処置具が挿入される。
【０００３】
内視鏡は、使用後に必ず洗浄、消毒されている。使用後の内視鏡は、主に挿入部の外表面と各チャンネル内に体液や汚物が付着している。体液や汚物に含まれる病原菌やウイルスは、院内感染の原因となる。内視鏡の洗浄は、水や洗剤を用いて内視鏡に付着した体液や汚物を洗い流す処理である。また、内視鏡の消毒は、消毒液中に内視鏡を浸漬させ、洗浄で除去されない病原菌やウイルスを除去し、または病原性を消失させる処理である。
【０００４】
内視鏡の洗浄、消毒を自動的に行うことができる内視鏡洗浄消毒装置が利用されている。内視鏡洗浄消毒装置は、洗浄槽、給水ノズル、給液ノズルを備えている。洗浄槽は、上部が開放された水槽であり、使用後の内視鏡が収容される。給水ノズルは、洗浄槽内に洗浄液である水を噴射する。給液ノズルは、内視鏡の消毒時に洗浄槽内に消毒液を供給する。水及び消毒液は、洗浄槽内に設けられた液面検出センサの検出結果に基づいて、供給量が制御されている。
【０００５】
内視鏡洗浄消毒装置は、洗浄槽の上部の開口を開閉するトップカバーを備えている。トップカバーは、洗浄槽に内視鏡を収容し、または取り出す際に開放され、洗浄及び消毒時に閉じられている。内視鏡の洗浄時には、洗浄槽内に噴射された水の飛沫がトップカバーの内面に付着して水滴となる。トップカバーの内面に付着した水滴には、内視鏡から洗い流された病原菌やウイルスが含まれる。消毒後の内視鏡が、トップカバーの内面に付着した水滴によって汚染されることが懸念されている。
【０００６】
トップカバーの内面に付着した水滴による内視鏡の汚染を防止する発明が各種なされている。例えば、特許文献１記載の内視鏡洗浄消毒装置は、トップカバーに設けられた平面部を洗浄槽内に貯えられた消毒液に接触させ、平面部を内視鏡とともに消毒している。なお、給水ノズル及び給液ノズルは、洗浄槽に貯えられた水または消毒液の逆流を防ぐため、洗浄槽内に貯えられる水または消毒液の液面よりも高い位置に設けられている。そのため、特許文献１記載のトップカバーには、給水ノズル及び給液ノズルを覆う凸部が設けられている。凸部の内面には、給液ノズルに設けられたスリットから噴出される消毒液がかけられている。
【特許文献１】特許第３２１９７３０号公報
【発明の開示】
【発明が解決しようとする課題】
【０００７】
特許文献１記載の内視鏡洗浄消毒装置では、内視鏡の消毒が不完全になることがある。内視鏡は、挿入部が環状に屈曲されて洗浄槽内に収容されている。挿入部は、自身の弾性や振動、衝撃、洗浄液の水流等により屈曲が解消され、収容当初の位置と異なる位置に移動することがある。例えば、挿入部の先端がトップカバーの凸部内に移動して消毒液の液面から突き出ると、その突き出た部分は、消毒液に浸漬されず、もしくは浸漬時間が短くなる。
【０００８】
トップカバーの凸部の内面に消毒液をかけても、十分な消毒効果が得られないことが考えられる。例えば、給液ノズルから噴出される消毒液の噴出圧が低い場合、凸部の内面に付着した水滴を十分に洗い流すことができない。また、凸部の内面と消毒液との接触時間は、消毒液中に浸漬する場合に比べて短くなる。
【０００９】
本発明の目的は、内視鏡の一部が液体から突き出て消毒が不完全になるのを防止することにある。また、本発明の別の目的は、トップカバーの内面に付着した水滴による内視鏡の汚染を防止することにある。
【課題を解決するための手段】
【００１０】
本発明の内視鏡洗浄消毒装置は、洗浄槽の上部の開口を開閉する蓋の内面部を、洗浄槽の開口全体に対面または嵌合させている。また、給液手段によって洗浄槽内に供給される消毒液の供給量を検知する検知手段を設けている。制御手段は、検知手段の検知結果に基づいて給液手段による消毒液の供給量を制御し、消毒液を内面部に接触させている。
【００１１】
検知手段により、消毒液の流量を計測してもよい。洗浄槽の容量に応じて適切な量の消毒液を供給することができる。また、予め設定された所定量以上の消毒液を洗浄槽から排出するオーバーフロー手段を設け、このオーバーフロー手段に流れた消毒液を検知手段により検知してもよい。洗浄槽が満たされる量の消毒液、すなわち蓋の内面部に確実に接触する量の消毒液を供給することができる。また、洗浄槽の容量以上の消毒液が誤って洗浄槽に供給されても、余分な消毒液は排出されるので、消毒液の圧力によって蓋が開いてしまうことはない。
【発明の効果】
【００１２】
本発明によれば、蓋の内面部を洗浄槽内の開口全体に対面または嵌合させて消毒液に接触させているので、内視鏡が消毒液の外に突き出るのを防止することができる。また、蓋の内面部は、内視鏡と一緒に消毒されるので、蓋に付着した水滴による内視鏡の汚染を防止することができる。また、検知手段によって消毒液の供給量を検知し、その検知結果に基づいて給液手段を制御するので、開口全体が蓋の内面部に覆われた洗浄槽であっても消毒液の供給量を適切に制御することができる。
【発明を実施するための最良の形態】
【００１３】
図１に示す内視鏡１０は、本発明の内視鏡洗浄消毒装置によって洗浄、消毒される内視鏡の一例である。内視鏡１０は、生体の体腔内に挿入される挿入部１１と、挿入部１１を操作する操作部１２とを備えている。
【００１４】
挿入部１１は、断面が円形の棒状体であり、可撓性を有している。挿入部１１の先端には、体腔内を照明する照明部と、体腔内を撮影する撮影部（図示せず）とが設けられている。挿入部１１内には、挿入部１１の先端から一端が露呈されている送気・送水チャンネル１５、及び鉗子チャンネル１６が設けられている。鉗子チャンネル１６には、吸引チャンネル１７が接続されている。
【００１５】
操作部１２には、鉗子口２０、送気・送水ボタン２１、吸引ボタン２２が設けられている。鉗子口２０には、使用時に取り外される鉗子口キャップ２３が嵌合されている。送気・送水ボタン２１及び吸引ボタン２２は、装着口１２ａ，１２ｂに着脱自在に取り付けられている。鉗子口キャップ２３、送気・送水ボタン２１及び吸引ボタン２２は、内視鏡１０の洗浄時に操作部１２から取り外される。
【００１６】
操作部１２に接続されたユニバーサルコード２５及びコネクタ部２６内には、送気・送水チャンネル１５及び吸引チャンネル１７と、照明部及び撮影部の配線が組み込まれている。コネクタ部２６には、配線を光源装置やビデオプロセッサに接続する接点部が設けられている。内視鏡１０の洗浄時には、コネクタ部２６の接点部を隠して防水する防水キャップ２７（図３参照）が装着される。
【００１７】
図２に示す内視鏡洗浄消毒装置（以下、装置と呼ぶ）２８は、使用後の内視鏡１０を収容して洗浄、消毒する装置である。装置２８は、箱状の装置本体３０を備えている。装置本体３０の上面には、使用後の内視鏡１０が収容される洗浄槽３１が設けられている。洗浄槽３１は、上部が開放された水槽であり、例えばステンレス等の耐熱性、耐蝕性等に優れた金属板で形成されている。
【００１８】
装置本体３０の上面手前には、操作パネル３３、および表示パネル３４が配されている。操作パネル３３は、内視鏡１０の洗浄、消毒に関する各種設定や、洗浄及び消毒の開始または停止等を指示するための多数のボタンからなる。表示パネル３４には、例えば液晶ディスプレイ（ＬＣＤ）が用いられ、各種設定画面、各工程の残り時間、トラブル発生時の警告メッセージ等が表示される。
【００１９】
装置本体３０の上面には、洗浄槽３１の上部の開口３１ａを開閉するトップカバー３７が設けられている。トップカバー３７は、例えばプラスチックで形成された矩形の板状体であり、装置本体３０の上面に設けられたヒンジ３８に一辺が軸支されている。詳しくは図示しないが、トップカバー３７には、閉じ位置でロックするためのロック機構が設けられている。
【００２０】
図３に示すように、洗浄槽３１の内側面３１ｂには、内視鏡１０の洗浄、消毒に用いる液体を洗浄槽３１内に供給する供給ポート４０が設けられている。供給ポート４０には、洗浄槽３１内に突出された、給水ノズル４１、洗剤供給ノズル４２、消毒液供給ノズル４３が設けられている。
【００２１】
給水ノズル４１は、洗浄槽３１内に水を供給する。洗剤供給ノズル４２は、洗浄槽３１内に洗剤（例えば、液状酵素洗剤等）を供給する。消毒液供給ノズル４３は、洗浄槽３１内に消毒液（例えば、グルタールアルデヒトや過酢酸、オルトフタルアルデヒト等）を供給する。内視鏡１０に付着している体液や汚物は、水と洗剤とが混合された洗浄液により洗い流される。洗浄液で洗い流されなかった病原菌やウイルスは、消毒液により除去され、または病原性が消失される。
【００２２】
洗浄槽３１の内側面３１ｃには、チャンネル洗浄ポート４５が設けられている。チャンネル洗浄ポート４５は、内視鏡１０の送気・送水チャンネル１５、鉗子チャンネル１６及び吸引チャンネル１７内の洗浄、消毒に用いられる。チャンネル洗浄ポート４５には、送気・送水チャンネル用カプラ４６、吸引チャンネル用カプラ４７、鉗子チャンネル用カプラ４８が設けられている。
【００２３】
洗浄槽３１に収容された内視鏡１０は、柔軟性を有するチューブ５０〜５２によって、装着口１２ａ，１２ｂ及び鉗子口２０と、各カプラ４６〜４８とが接続される。各カプラ４６〜４８からは、水、洗浄液、消毒液、アルコール、及び圧縮エア等の気体及び液体が、送気・送水チャンネル１５、及び鉗子チャンネル１６及び吸引チャンネル１７内に供給される。
【００２４】
供給ポート４０の近傍には、内視鏡１０の気密試験に用いられる気密試験ポート５４が設けられている。気密試験ポート５４には、圧縮エアを供給するチューブカプラ５４ａが設けられている。チューブカプラ５４ａには、柔軟性を有するチューブが装着される。チューブは、コネクタ部２６に装着された防水キャップ（図示せず）２７に接続される。
【００２５】
洗浄槽３１の底面３１ｄには、小物洗浄かご５６が取り付けられている。小物洗浄かご５６は、例えば上部が開口された長方形状のかごであり、内視鏡１０の操作部１２から取り外された送気・送水ボタン２１、吸引ボタン２２、鉗子口キャップ２３等の小物部品が収容される。また、底面３１ｄの角部には、廃液口５８が設けられている。廃液口５８は、洗浄槽３１から使用済みの水、洗浄液、消毒液を排出する。
【００２６】
洗浄槽３１の上面外周に設けられた縁部３１ｅには、オーバーフロー口６０が設けられている。オーバーフロー口６０は、洗浄槽３１内に容量以上の消毒液が供給されたときに、洗浄槽３１から溢れた消毒液を排出する。
【００２７】
トップカバー３７の内面３７ａには、厚み方向に突出された平板状の内面部６２が設けられている。内面部６２の外周には、ゴムやエラストマー等で形成された防水パッキン６３が設けられている。図４に示すように、トップカバー３７が閉じられると、防水パッキン６３が縁部３１ｅに当接して洗浄槽３１内が密閉される。内面部６２は、洗浄槽３１の開口３１ａ全体に対面し、または開口３１ａに緩く嵌合する大きさを有している。内面部６２の平面部分６２ａは、トップカバー３７が閉じられたときに略水平に配置される。
【００２８】
図５は、装置本体３０内の配管系統を示している。洗浄槽３１の下面には、ラバーヒータ６６が取り付けられている。ラバーヒータ６６は、洗浄槽３１を介して、洗浄槽３１内に貯えられた洗浄液または消毒液を加熱する。洗浄槽３１内には、上述の供給ポート４０等の他に、洗浄液または消毒液の温度を計測する温度センサ（ＴＥ）６７が設けられている。
【００２９】
給水ノズル４１には、水、洗浄液、消毒液が流される給液路７０が接続されている。給液路７０には、洗浄槽３１内に貯えられた液体が給水ノズル４１に逆流するのを防止する逆止弁７１が設けられている。給液路７０の他端は、電動三方弁７２の一端に接続されている。
【００３０】
電動三方弁７２の他端には、給水路７４が接続されている。給水路７４は、装置本体３０の外部に露呈されて水道水の蛇口に接続されている。給水路７４には、蛇口に接続される側から電磁弁７５、ウォータフィルタ（以下、ＷＦと省略する）７６、第１流量センサ７７が設けられている。電磁弁７５は、給水路７４に対する水道水の供給／停止を切り換える。ＷＦ７６は、水道水に含まれる異物や細菌を捕捉する。第１流量センサ７７は、給水路７４内を流れる水の流量を計測する。電動三方弁７２は、洗浄槽３１内に水を供給する際に、給液路７０と給水路７４とを接続する。
【００３１】
洗剤供給ノズル４２には、洗剤７９を供給する洗剤供給路８０が接続されている。洗剤供給路８０の他端は、洗剤７９が収容された洗剤タンク８１に接続されている。洗剤供給路８０には、洗剤タンク８１側からウォータポンプ（以下、ＷＰと省略する）８２と、逆止弁８３が設けられている。ＷＰ８２は、洗剤タンク８１内の洗剤７９を吸引する。逆止弁８３は、洗剤供給ノズル４２への液体の逆流を防止する。
【００３２】
消毒液供給ノズル４３には、消毒液８５を供給する消毒液供給路８６が接続されている。消毒液供給路８６の他端は、消毒液８５が収容された消毒液タンク８７に接続されている。消毒液供給路８６には、消毒液タンク８７側からＷＰ８８、第２流量センサ８９及び逆止弁９０が設けられている。ＷＰ８８は、消毒液タンク８７内の消毒液８５を吸引する。第２流量センサ８９は、消毒液供給路８６を流れる消毒液８５の流量を計測する。逆止弁９０は、消毒液供給ノズル４３への消毒液８５の逆流を防止する。消毒液タンク８７には、使用済みの消毒液８５を排出するドレン通路８７ａが設けられている。
【００３３】
廃液口５８には、下流側で分岐された廃液路９３が接続されている。分岐された一方の第１廃液路９４は、内視鏡１０の洗浄で使用された洗浄液、水をＷＰ９５によって装置本体３０の外に排出する。他方の第２廃液路９６は、内視鏡１０の消毒に使用された消毒液８５を消毒液タンク８７に戻す。消毒液８５は、数回の使用では消毒効果が消失しないので、消毒液タンク８７に戻されて繰り返し使用される。第１廃液路９４及び第２廃液路９６は、各々に設けられた電磁弁９７、９８の開閉により切り換えられる。
【００３４】
廃液口５８には、洗浄槽３１に貯えられた洗浄液、消毒液８５、水を循環させる循環路１００も接続されている。循環路１００には、洗浄槽３１内の液体を吸引するＷＰ１０１が設けられている。循環路１００は、ＷＰ１００の下流側で第１循環路１０２と第２循環路１０３とに分岐されている。第１循環路１０２は、電動三方弁７２に接続されている。電動三方弁７２は、洗浄槽３１内に貯えられた水、洗浄液、消毒液８５を循環させる際に、給液路７０と第１循環路１０２とを接続する。
【００３５】
第２循環路１０３は、上述したチャンネル洗浄ポート４５の各カプラ４６〜４８に接続されている。第２循環路１０３に流された洗浄液、消毒液８５、水は、チャンネル洗浄ポート４５の各カプラ４６〜４８、チューブ５０〜５２を経て、送気、送水チャンネル１５、鉗子チャンネル１６及び吸引チャンネル１７を洗浄、消毒する。
【００３６】
チャンネル洗浄ポート４５には、第２循環路１０３の他、各チャンネル内に送風して水滴を除去する送気路、各チャンネル内にアルコールを流して乾燥させるアルコール供給路等が接続されている。なお、図面の煩雑化を防ぐため、図５には、チャンネル洗浄ポート４５及び気密試験ポート５４と、これらに接続されている各種供給路を図示していない。
【００３７】
オーバーフロー口６０には、オーバーフロー通路１０５が接続されている。オーバーフロー通路１０５は、廃液路９３に接続されており、オーバーフロー口６０から排出された消毒液８５を廃液路９３に流す。
【００３８】
図６に示すように、装置２８は、装置全体を統括的に制御するＣＰＵ１０７と、制御プログラムや各種データが記憶されたＲＯＭ１０８と、ＲＯＭ１０８から読み出された制御プログラムの実行領域であるＲＡＭ１０９とを備えている。ＣＰＵ１０７には、表示パネル３４を駆動するＬＣＤドライバ１１０、各電磁弁を駆動する弁ドライバ１１１、電動三方弁７２を駆動するモータドライバ１１２、各ＷＰを駆動するＷＰドライバ１１３、ラバーヒータ６６を駆動するヒータドライバ１１４等が接続されている。
【００３９】
図７のフローチャートを参照して、内視鏡洗浄消毒装置２８による内視鏡１０の洗浄、消毒工程を説明する。内視鏡１０は、検査終了後すぐにシンク等で水洗い（予備洗浄）され、付着している汚物等が乾燥して落ちにくくなる前に洗い流される。なお、予備洗浄後すぐに内視鏡１０の洗浄を行えるように、装置２８の電源をオンしておくことが好ましい。
【００４０】
内視鏡１０の操作部１２から送気・送水ボタン２１、吸引ボタン２２、鉗子口キャップ２３等の小物部品が取り外され、小物洗浄かご５６に収容される。操作部１２は、装着口１２ａ，１２ｂがチャンネル洗浄ポート４５に対面し、かつ洗浄槽３１の長手方向に沿うように洗浄槽３１内に収容される。挿入部１１は、環状に巻かれて内側面３１ｃと小物洗浄かご５６の間に載置される。コネクタ部２６は、ユニバーサルコード２５が屈曲されて内側面３１ｆと小物洗浄かご５６との間に載置される。
【００４１】
チャンネル洗浄ポート４５の送気・送水チャンネル用カプラ４６、吸引チャンネル用カプラ４７、鉗子チャンネル用カプラ４８には、チューブ５０〜５２がそれぞれ取り付けられる。チューブ５０〜５２は、内視鏡１０の送気・送水ボタンの装着口１２ａ、吸引ボタンの装着口１２ｂ、鉗子口２０にそれぞれ接続される。内視鏡１０の洗浄槽３１への収容後、トップカバー３７が閉じられる。トップカバー３７の内面部６２は、洗浄槽３１の開口３１ａ全体に対面し、または緩く嵌合する。
【００４２】
操作パネル３３が操作され、内視鏡１０の洗浄処理が開始される。ＣＰＵ１０７は、弁ドライバ１１１を制御して電磁弁７５を開く。また、モータドライバ１１２を制御して電動三方弁７２を切り換え、給液路７０と給水路７４とを接続させる。水道管からの水圧によって給水路７４を流れた水は、ＷＦ７６により清浄化される。給水路７４を経て給液路７０に流れた水は、給水ノズル４１から洗浄槽３１内に噴射される。
【００４３】
ＣＰＵ１０７は、洗浄槽３１への給水開始と同時にＷＰ８２を駆動させ、洗剤供給ノズル４２から所定量の洗剤７９を洗浄槽３１内に吐出させる。洗浄槽３１内には、水と洗剤７９とが混合された洗浄液が生成される。
【００４４】
ＣＰＵ１０７は、第１流量センサ７７の計測結果に基づいて洗浄槽３１内に供給された水の供給量を算出する。ＣＰＵ１０７は、水の供給量が予め設定されている所定量に達したときに電磁弁７５を閉じて給水を停止させる。
【００４５】
ＣＰＵ１０７は、ヒータドライバ１１４を制御してラバーヒータ６６を駆動させる。ラバーヒータ６６の熱は、洗浄槽３１を介して洗浄液に伝達される。洗浄液の温度は、温度センサ６７により検出される。ＣＰＵ１０７は、洗浄液が所定の温度を保つようにラバーヒータ６６を制御する。
【００４６】
ＣＰＵ１０７は、電動三方弁７２を切り換えて給液路７０と第１循環路１０２とを接続し、ＷＰ１０１を駆動させる。廃液口５８に排出された洗浄液は、循環路１００、第１循環路１０２、給液路７０を流れ、給水ノズル４１によって内視鏡１０に向けて噴射される。内視鏡１０の外表面に付着した体液や汚物は、噴射された洗浄液の衝撃と、循環時の渦流によって洗い流される。洗浄液の循環により洗剤の濃度勾配が平準化されるため、洗浄槽３１内の全域で同じ洗浄力を得ることができる。
【００４７】
また、循環路１００を流れた洗浄液は、第２循環路１０３、チャンネル洗浄ポート４５等を経て内視鏡１０内に供給される。内視鏡１０内に供給された洗浄液は、送気・送水チャンネル１５、鉗子チャンネル１６及び吸引チャンネル１７内を洗浄する。
【００４８】
ＣＰＵ１０７は、所定時間の経過後に電磁弁９７を開いてＷＰ９５を駆動させる。洗浄に使用された洗浄液は、廃液口５８、廃液路９３、第１廃液路９４を流れて装置本体３０の外に排出される。なお、循環路１００等の内部に洗浄液が残らないようにするため、ＷＰ１０１は洗浄液の排出終了後に駆動が停止される。
【００４９】
洗浄液を内視鏡１０から除去するため、水によるすすぎが実施される。ＣＰＵ１０７は、洗浄槽３１内に所定量の水を供給し、この水を循環させて内視鏡１０の外表面と各チャンネル内に付着した洗浄液を除去する。水の供給、すすぎ後の水の排出は、洗浄時と同じなので詳しい説明は省略する。
【００５０】
ＣＰＵ１０７は、ＷＰ８８を駆動させ、洗浄槽３１内に消毒液８５を供給する。ＣＰＵ１０７は、第２流量センサ８９の計測結果に基づいて、洗浄槽３１内に供給された消毒液８５の供給量を算出する。ＣＰＵ１０７は、消毒液８５の液面位置がトップカバー３７の内面部６２に接触する位置に達したときにＷＰ８８を停止させる。洗浄槽３１の容量以上の消毒液８５は、オーバーフロー口６０、オーバーフロー通路１０５を経て廃液路９３に排出される。
【００５１】
ＣＰＵ１０７は、ラバーヒータ６６及び温度センサ６７を用いて消毒液８５を所定の温度まで加熱する。ＣＰＵ１０７は、消毒液８５の加熱後、ＷＰ１０１を駆動させ、洗浄槽３１内と、各チャンネル内で消毒液８５を循環させる。内視鏡１０の外表面と各チャンネルは、消毒液８５に浸漬されて消毒される。ＣＰＵ１０７は、所定時間の経過後に電磁弁９８を開き、消毒液８５を消毒液タンク８７に戻す。
【００５２】
内視鏡１０の消毒中に、消毒液８５の循環流、または何らかの振動、衝撃等によって、内視鏡１０が洗浄槽３１内で動き、挿入部１１が巻き緩んでしまうことがある。本発明では、洗浄槽３１の開口３１ａ全体にトップカバー３７の内面部６２が対面し、消毒液８５が内面部６２に接触しているので、挿入部１１が消毒液８５の外に突き出ることはない。
【００５３】
消毒終了後、内視鏡１０から消毒液８５を除去するため、すすぎが２回行われる。ＣＰＵ１０７は、すすぎの終了後に内視鏡１０の各チャンネル内に送風して水滴を除去し、次いで、各チャンネル内にアルコールを流して乾燥させる。
【００５４】
内視鏡１０の洗浄、消毒の完了後、トップカバー３７が開放されて洗浄槽３１から内視鏡１０が取り出される。トップカバー３７の内面部６２には、すすぎ時の水滴が付着しているが、内面部６２は、内視鏡１０とともに消毒されているので、水滴により内視鏡１０が再び汚染されることはない。
【００５５】
上記実施形態では、消毒液８５の流量を第２流量センサ８９で計測し、消毒液８５の供給量が所定量に達したときに消毒液８５の供給を停止させている。しかし、内視鏡１０は用途、メーカー等によって挿入部１１の太さや長さが異なるので、同じ量の消毒液８５を洗浄槽３１内に供給しても、内視鏡１０の体積の差によって消毒液８５がオーバーフロー口６０から溢れ、または消毒液８５が内面部６２に接触しないことが考えられる。そこで、消毒液８５がオーバーフロー口６０から溢れたときに消毒液８５の供給を停止させてもよい。
【００５６】
図８及び図９に示すように、オーバーフロー通路１０５には、洗浄槽３１から溢れた消毒液８５を検知する液体センサ１２０が設けられている。液体センサ１２０は、静電容量型、光学式等、様々なタイプの液体センサを用いることができる。液体センサ１２０は、消毒液８５を検知したときに検知信号を発生し、ＣＰＵ１０７に入力する。ＣＰＵ１０７は、液体センサ１２０から検知信号が入力されるとＷＰ８８を停止させ、洗浄槽３１に対する消毒液８５の供給を終了する。
【００５７】
これにより、内視鏡１０の体積の差に関わらず、洗浄槽３１内には、トップカバー３７の内面部６２に接触する量の消毒液８５が確実に供給される。なお、オーバーフロー通路１０５に流れた消毒液８５は、消毒液タンク８７に戻されるので、消毒液８５が無駄に消費されることはない。
【００５８】
上記各実施形態では、消毒液８５をトップカバー３７の内面部６２に接触させたが、洗浄液またはすすぎ用の水も内面部６２に接触させてもよい。内面部６２を毎回洗浄することができる。
【００５９】
また、水と消毒液８５の流量を計測するため、第１流量センサ７７及び第２流量センサ８９を設けたが、１つの流量センサで兼用してもよい。
【図面の簡単な説明】
【００６０】
【図１】内視鏡の構成例を示す平面図である。
【図２】本発明の内視鏡洗浄消毒装置の外観形状を示す斜視図である。
【図３】洗浄槽の構成を示す平面図である。
【図４】トップカバーを閉じた状態を示す断面図である
【図５】装置本体内の概略的な配管系統を示す配管図である。
【図６】内視鏡洗浄消毒装置の電気的構成の一部を示すブロック図である。
【図７】内視鏡の洗浄、消毒手順を示すフローチャートである。
【図８】オーバーフロー通路に液体センサを設けた例を示す配管図である。
【図９】液体センサを用いて消毒液の供給量を制御する内視鏡洗浄消毒装置のブロック図である。
【符号の説明】
【００６１】
１０  内視鏡
１１  挿入部
１２  操作部
２８  内視鏡洗浄消毒装置
３０  装置本体
３１  洗浄槽
３１ａ  開口
３７  トップカバー
４０  供給ポート
６０  オーバーフロー口
６２  内面部
７７  第１流量センサ
８５  消毒液
８９  第２流量センサ
１０５  オーバーフロー通路
１２０  液体センサ
【図１】
2009189414.tif 000003
【図２】
2009189414.tif 000004
【図３】
2009189414.tif 000005
【図４】
2009189414.tif 000006
【図５】
2009189414.tif 000007
【図６】
2009189414.tif 000008
【図７】
2009189414.tif 000009
【図８】
2009189414.tif 000010
【図９】
2009189414.tif 000011